(57)【要約】【課題】  従来の送信回路においては、増幅器、振幅変調器が後続のフィルタの帯域外インピーダンスの影響で歪んでしまう。【解決手段】  直交データ生成器１０１からのデータは、ベクトルデータ変換器１０２で、例えば大きさが０と実数の2値となるように量子化される。ベクトルデータ変換器１０２の出力は変調器１０３で変調され、増幅器１０４に入力される。増幅器１０４では入力される信号の包絡線が量子化されている、すなわち一定の包絡線の信号がオン、オフされた信号となっているので、高効率の非線形増幅器を用いることができる。ベクトルデータ変換器１０２で発生した量子化雑音がフィルタ１０６で除去された後、低歪み、低雑音の信号が出力端子１０７から出力される。アイソレーション部１０５を間に接続し、増幅器１０４の出力インピーダンスがフィルタ１０６の影響を受けないようにすることで、低歪みの信号を出力することができる。【選択図】  図１
2005287017.tif 000002
【特許請求の範囲】
【請求項１】
信号を入力して所定の変調または所定の信号変換を行い、入力された前記信号よりも分解能を低くした信号を出力する信号変調変換回路と、
前記信号変調変換回路から出力された信号を増幅する増幅器と、
一方の端子が前記増幅器の出力に接続されたアイソレーション部と、
前記アイソレーション部の他方の端子に接続され、前記増幅器から出力された信号のうち不要な周波数成分を減衰させるフィルタとを備え、
前記アイソレーション部は、前記フィルタから出力される信号の中心周波数から前記信号変調変換回路のサンプリング周波数の半分を引いた周波数から、前記フィルタから出力される信号の中心周波数に前記信号変調変換回路のサンプリング周波数の半分を足した周波数までの周波数帯域において、前記フィルタの入力反射係数の大きさより、入力反射係数の大きさが小さい、送信回路。
【請求項２】
直交データを生成する直交データ生成器を備え、
前記信号変調変換回路は、前記直交データ生成器の出力に接続され、直交データの２乗和の平方根で表される大きさに関して分解能を低くしたデータを出力するベクトルデータ変換器と、
前記ベクトルデータ変換器の出力に接続された変調器とを有し、
前記増幅器は、前記変調器の出力に接続されている、請求項１記載の送信回路。
【請求項３】
振幅データと位相データを生成し、第１の出力から生成した前記振幅データを出力し、第２の出力から生成した前記位相データを出力する極データ生成器を備え、
前記信号変調変換回路は、前記極データ生成器の前記第１の出力に接続され、入力より分解能を低くしたデータを出力するスカラーデータ変換器と、
前記スカラーデータ変換器の出力に接続された電源制御部と、
前記極データ生成器の前記第２の出力に接続された角度変調器とを有し、
前記増幅器は、振幅変調器を兼ねており、
前記振幅変調器は、前記角度変調器の出力と、前記電源制御部の出力に接続されており、出力が前記アイソレーション部に接続されている、請求項１記載の送信回路。
【請求項４】
信号を生成する信号生成器を備え、
前記信号変調変換回路は、前記信号生成器の出力に接続され、入力より分解能を低くしたデータを出力するスカラーデータ変換器を有し、
前記増幅器は、前記スカラーデータ変換器の出力に接続されている、請求項１記載の送信回路。
【請求項５】
前記アイソレーション部は、アイソレータである、請求項１〜４のいずれかに記載の送信回路。
【請求項６】
前記アイソレーション部は、減衰器である、請求項１〜４のいずれかに記載の送信回路。
【請求項７】
信号を入力して所定の変調または信号変換を行い、入力された前記信号よりも分解能を低くした信号を出力する信号変調変換回路と、
前記信号変調変換回路から出力された信号を増幅する増幅器と、
前記増幅器に電力を供給する電力供給部と、
第１の端子、第２の端子、及び第３の端子を有し、前記第１の端子から入力された信号を前記第２の端子から出力し、前記第２の端子から入力された信号を前記第３の端子から出力し、前記第３の端子から入力された信号を前記第１の端子から出力し、前記第１の端子が前記増幅器の出力に接続されたサーキュレータと、
前記サーキュレータの前記第２の端子に接続され、前記増幅器から出力された信号のうち不要な周波数成分を減衰させるフィルタと、
入力が前記サーキュレータの前記第３の端子に接続され、出力が前記電力供給部の出力に接続され、入力された信号を直流信号に変換して出力する電力再利用部とを備えた、送信回路。
【請求項８】
直交データを生成する直交データ生成器を備え、
前記信号変調変換回路は、前記直交データ生成器の出力に接続され、直交データの２乗和の平方根で表される大きさに関して分解能を低くしたデータを出力するベクトルデータ変換器と、
前記ベクトルデータ変換器の出力に接続された変調器とを有し、
前記増幅器は、前記変調器の出力に接続されている、請求項７記載の送信回路。
【請求項９】
振幅データと位相データを生成し、第１の出力から生成した前記振幅データを出力し、第２の出力から生成した前記位相データを出力する極データ生成器を備え、
前記信号変調変換回路は、前記極データ生成器の第１の出力に接続され、入力より分解能を低くしたデータを出力するスカラーデータ変換器と、
前記極データ生成器の第２の出力に接続された角度変調器とを有し、
前記電力供給部は、前記スカラーデータ変換器の出力に接続された電源制御部であり、
前記増幅器は、振幅変調器を兼ねており、
前記振幅変調器は、前記角度変調器の出力と、前記電源制御部の出力に接続されている、請求項７記載の送信回路。
【請求項１０】
信号を生成する信号生成器を備え、
前記信号変調変換回路は、前記信号生成器の出力に接続され、入力より分解能を低くしたデータを出力するスカラーデータ変換器を有し、
前記増幅器は、前記スカラーデータ変換器の出力に接続されている、請求項７記載の、送信回路。
【請求項１１】
前記ベクトルデータ変換器は、入力された信号から、互いに直交するＩ信号およびＱ信号、ならびに前記Ｉ信号および前記Ｑ信号からなる直交信号の振幅成分を生成する原データ生成部と、
前記振幅成分を、前記振幅成分の分解能よりも小さい分解能の信号に変換するデルタシグマ変調部と、
前記Ｉ信号が前記振幅成分で除算された規格化Ｉデータと前記変換された信号とを掛け算して得られる第１データを出力する第１掛算部と、
前記Ｑ信号が前記振幅成分で除算された規格化Ｑデータと前記変換された信号とを掛け算して得られる第２データを出力する第２掛算部とを有する、請求項２または８に記載の送信回路。
【請求項１２】
前記ベクトルデータ変換器は、Ｉ信号およびＱ信号を有する直交データが入力される直交データ入力端子と、
前記直交データ入力端子に接続された演算回路と、
前記演算回路の出力側に接続された第１ベクトル量子化器と、
前記第１ベクトル量子化器の出力側に接続された出力端子とを有し、
前記Ｉ信号および前記Ｑ信号は所定のベクトルを形成しており、
前記演算回路は、第１入力端子および第２入力端子を有する第１ベクトル引き算器と、前記第１ベクトル引き算器の出力側に接続されたベクトル積分器とを有する単位回路が、ｎ（ｎは自然数）個接続されたものであり、
前記出力端子の出力および／または前記各ベクトル積分器の出力は、前記各単位回路の第１ベクトル引き算器の前記第２入力端子に入力され、
前記直交データ入力端子は、第一番目の前記単位回路の前記第１ベクトル引き算器の前記第１入力端子に接続され、
前記単位回路どうしは、前記ベクトル積分器の出力端子と前記第１ベクトル引き算器の前記第１入力端子とにより接続されており、
前記第１ベクトル引き算器は、前記第1入力端子から入力された直交データのなすベクトルから前記第２入力端子に入力された直交データのなすベクトルを引き算した直交データを出力し、
前記ベクトル積分器は、入力された前記直交データで構成されるベクトルを積分し、
前記第１ベクトル量子化器は、入力されたベクトルの少なくとも大きさに関して量子化された所定の値を出力する、請求項２または８に記載の送信回路。
【請求項１３】
前記スカラーデータ変換器は、デルタシグマ変調回路である、請求項３、４、９、１０のいずれかに記載の送信回路。
【請求項１４】
前記電力再利用部は、ダイオードと、
前記ダイオードにバイアス電圧を供給するバイアス回路と、
前記ダイオードの出力に並列に接続され、他方が接地されたコンデンサとを有する、請求項８〜１０のいずれかに記載の送信回路。
【請求項１５】
前記電力再利用部は、バランと、
前記バランの２つの出力にそれぞれ接続された１対のダイオードと、
前記１対のダイオードのそれぞれにバイアス電圧を供給する１対のバイアス回路と、
前記１対のダイオードのそれぞれの出力に並列に接続され、他方が接地された１対のコンデンサとを有する、請求項８〜１０のいずれかに記載の送信回路。
【請求項１６】
アンテナに接続されるアンテナ共用器と、
前記アンテナ共用器に送信信号を出力する送信回路と、
前記アンテナ共用器から出力される受信信号を入力する受信回路とを備え、
前記送信回路には、請求項１〜４、７〜１０のいずれかに記載の送信回路が用いられている、通信機器。
【請求項１７】
音声信号を出力する送信回路と、
前記送信回路から出力された前記音声信号を音声として出力する音声出力部とを備え、
前記送信回路には、請求項４または１０に記載の送信回路が用いられている、オーディオ機器。
【請求項１８】
映像信号を出力する送信回路と、
前記送信回路から出力された前記映像信号を表示する表示部とを備え、
前記送信回路には、請求項４または１０に記載の送信回路が用いられている、映像機器。
【請求項１９】
信号を入力して所定の変調または所定の信号変換を行い、入力された前記信号よりも分解能を低くした信号を出力する信号変調変換ステップと、
前記信号変調変換ステップで処理された信号を増幅する増幅ステップと、
前記増幅ステップで処理された信号を通過させるアイソレーションステップと、
前記増幅ステップで処理されて前記アイソレーションステップを通過した信号のうち不要な周波数成分を減衰させるフィルタステップとを備え、
前記アイソレーションステップは、前記フィルタステップで処理された信号の中心周波数から前記信号変調変換ステップのサンプリング周波数の半分を引いた周波数から、前記フィルタステップで処理された信号の中心周波数に前記信号変調変換ステップのサンプリング周波数の半分を足した周波数までの周波数帯域において、前記フィルタステップの入力反射係数の大きさより、入力反射係数の大きさが小さい、送信方法。
【発明の詳細な説明】
【技術分野】
【０００１】
携帯電話、無線ＬＡＮなどの無線機器に用いられる送信回路、通信機器、オーディオ機器、映像機器、及び送信方法に関する。
【背景技術】
【０００２】
従来の送信回路（例えば、特許文献１参照。）の一例を図２７に示す。
【０００３】
従来の送信回路は、データ生成器１５０１、デルタシグマ変調器１５０２、電源制御部１５０３、角度変調器１５０４、振幅変調器１５０５、フィルタ１５０６、出力端子１５０７から構成される。
【０００４】
データ生成器１５０１は、振幅データと位相データを出力する回路である。
【０００５】
デルタシグマ変調器１５０２は、入力されるデータをデルタシグマ変調し、入力されるデータより分解能の小さいデータ、すなわち、取り得る電圧値の数が少ないデータを出力する回路である。
【０００６】
電源制御部１５０３は、入力信号に比例した電圧を出力する回路である。
【０００７】
角度変調器１５０４は、位相データで搬送波を角度変調する回路である。
【０００８】
振幅変調器１５０５は、角度変調波を電源制御部１５０３から供給される信号で振幅変調する回路である。
【０００９】
フィルタ１５０６は、入力信号のうち不要周波数成分を取り除く回路である。
【００１０】
出力端子１５０７は、出力信号を取り出すための端子である。
【００１１】
次に、このような従来の送信回路の動作を説明する。
【００１２】
データ生成器１５０１から振幅データと位相データが出力される。データ生成器１５０１から出力された振幅データは、デルタシグマ変調器１５０２でデルタシグマ変調され、電源制御部１５０３に入力される。電源制御部１５０３は、入力された信号に比例した電圧を出力する。一方、データ生成器１５０１から出力された位相データは、角度変調器１５０４で角度変調され、振幅変調器１５０５に入力される。振幅変調器１５０５は角度変調波を電源制御部１５０３から供給される信号で振幅変調する。デルタシグマ変調器１５０２で発生した量子化雑音はフィルタ１５０６で取り除かれ、出力端子１５０７から出力される。
【００１３】
このような従来の送信回路を用いることにより、増幅器の非線形性の影響を少なくすることが期待出来るとともに、消費電力が少ない効率的な回路を提供することが期待出来る。
【特許文献１】特開２００２−３２５１０９号公報
【発明の開示】
【発明が解決しようとする課題】
【００１４】
しかしながら、本願発明者は、図２７で説明した従来の送信回路において、フィルタ１５０６の帯域外インピーダンスが、振幅変調器１５０５の特性に影響を与えることを発見した。すなわち、図２７の送信回路においては、フィルタ１５０６の帯域外インピーダンスの影響で、振幅変調器１５０５で十分な帯域が確保できなくなり、出力信号が歪んでしまうことを発見した。
【００１５】
すなわち、従来の送信回路では、フィルタの帯域外インピーダンスの影響で、振幅変調器で十分な帯域が確保できなくなり、出力信号が歪んでしまうという課題がある。
【００１６】
また、図２７の送信回路では、デルタシグマ変調器１５０２を用いているので、量子化雑音信号が広い周波数範囲で分布することになる。このように広い周波数範囲で分布する量子化雑音信号が、フィルタ１５０６で除去されるので、量子化雑音信号のエネルギーが無駄となり、送信回路全体の消費電力を小さくすることができない。
【００１７】
すなわち、従来の送信回路では、量子化雑音信号のエネルギーが無駄になり、送信回路全体の消費電力を小さくすることが出来ないという課題がある。
【００１８】
本発明は、上記課題を考慮し、十分な帯域が確保することが出来、出力信号の歪みが少ない送信回路、通信機器、オーディオ機器、映像機器、及び送信方法を提供することを目的とするものである。
【００１９】
また、本発明は、上記課題を考慮し、送信回路全体の消費電力を小さくすることが出来、高効率である送信回路、通信機器、オーディオ機器、映像機器、及び送信方法を提供することを目的とするものである。
【課題を解決するための手段】
【００２０】
上述した課題を解決するために、第１の本発明は、
信号を入力して所定の変調または所定の信号変換を行い、入力された前記信号よりも分解能を低くした信号を出力する信号変調変換回路と、
前記信号変調変換回路から出力された信号を増幅する増幅器と、
一方の端子が前記増幅器の出力に接続されたアイソレーション部と、
前記アイソレーション部の他方の端子に接続され、前記増幅器から出力された信号のうち不要な周波数成分を減衰させるフィルタとを備え、
前記アイソレーション部は、前記フィルタから出力される信号の中心周波数から前記信号変調変換回路のサンプリング周波数の半分を引いた周波数から、前記フィルタから出力される信号の中心周波数に前記信号変調変換回路のサンプリング周波数の半分を足した周波数までの周波数帯域において、前記フィルタの入力反射係数の大きさより、入力反射係数の大きさが小さい、送信回路である。
【００２１】
また、第２の本発明は、
直交データを生成する直交データ生成器を備え、
前記信号変調変換回路は、前記直交データ生成器の出力に接続され、直交データの２乗和の平方根で表される大きさに関して分解能を低くしたデータを出力するベクトルデータ変換器と、
前記ベクトルデータ変換器の出力に接続された変調器とを有し、
前記増幅器は、前記変調器の出力に接続されている、第１の本発明の送信回路である。
【００２２】
また、第３の本発明は、
振幅データと位相データを生成し、第１の出力から生成した前記振幅データを出力し、第２の出力から生成した前記位相データを出力する極データ生成器を備え、
前記信号変調変換回路は、前記極データ生成器の前記第１の出力に接続され、入力より分解能を低くしたデータを出力するスカラーデータ変換器と、
前記スカラーデータ変換器の出力に接続された電源制御部と、
前記極データ生成器の前記第２の出力に接続された角度変調器とを有し、
前記増幅器は、振幅変調器を兼ねており、
前記振幅変調器は、前記角度変調器の出力と、前記電源制御部の出力に接続されており、出力が前記アイソレーション部に接続されている、第１の本発明の送信回路である。
【００２３】
また、第４の本発明は、
信号を生成する信号生成器を備え、
前記信号変調変換回路は、前記信号生成器の出力に接続され、入力より分解能を低くしたデータを出力するスカラーデータ変換器を有し、
前記増幅器は、前記スカラーデータ変換器の出力に接続されている、第１の本発明の送信回路である。
【００２４】
また、第５の本発明は、
前記アイソレーション部は、アイソレータである、第１〜４の本発明のいずれかの送信回路である。
【００２５】
また、第６の本発明は、
前記アイソレーション部は、減衰器である、第１〜４の本発明のいずれかの送信回路である。
【００２６】
また、第７の本発明は、
信号を入力して所定の変調または信号変換を行い、入力された前記信号よりも分解能を低くした信号を出力する信号変調変換回路と、
前記信号変調変換回路から出力された信号を増幅する増幅器と、
前記増幅器に電力を供給する電力供給部と、
第１の端子、第２の端子、及び第３の端子を有し、前記第１の端子から入力された信号を前記第２の端子から出力し、前記第２の端子から入力された信号を前記第３の端子から出力し、前記第３の端子から入力された信号を前記第１の端子から出力し、前記第１の端子が前記増幅器の出力に接続されたサーキュレータと、
前記サーキュレータの前記第２の端子に接続され、前記増幅器から出力された信号のうち不要な周波数成分を減衰させるフィルタと、
入力が前記サーキュレータの前記第３の端子に接続され、出力が前記電力供給部の出力に接続され、入力された信号を直流信号に変換して出力する電力再利用部とを備えた、送信回路である。
【００２７】
また、第８の本発明は、
直交データを生成する直交データ生成器を備え、
前記信号変調変換回路は、前記直交データ生成器の出力に接続され、直交データの２乗和の平方根で表される大きさに関して分解能を低くしたデータを出力するベクトルデータ変換器と、
前記ベクトルデータ変換器の出力に接続された変調器とを有し、
前記増幅器は、前記変調器の出力に接続されている、第７の本発明の送信回路である。
【００２８】
また、第９の本発明は、
振幅データと位相データを生成し、第１の出力から生成した前記振幅データを出力し、第２の出力から生成した前記位相データを出力する極データ生成器を備え、
前記信号変調変換回路は、前記極データ生成器の第１の出力に接続され、入力より分解能を低くしたデータを出力するスカラーデータ変換器と、
前記極データ生成器の第２の出力に接続された角度変調器とを有し、
前記電力供給部は、前記スカラーデータ変換器の出力に接続された電源制御部であり、
前記増幅器は、振幅変調器を兼ねており、
前記振幅変調器は、前記角度変調器の出力と、前記電源制御部の出力に接続されている、第７の本発明の送信回路である。
【００２９】
また、第１０の本発明は、
信号を生成する信号生成器を備え、
前記信号変調変換回路は、前記信号生成器の出力に接続され、入力より分解能を低くしたデータを出力するスカラーデータ変換器を有し、
前記増幅器は、前記スカラーデータ変換器の出力に接続されている、第７の本発明の、送信回路である。
【００３０】
また、第１１の本発明は、
前記ベクトルデータ変換器は、入力された信号から、互いに直交するＩ信号およびＱ信号、ならびに前記Ｉ信号および前記Ｑ信号からなる直交信号の振幅成分を生成する原データ生成部と、
前記振幅成分を、前記振幅成分の分解能よりも小さい分解能の信号に変換するデルタシグマ変調部と、
前記Ｉ信号が前記振幅成分で除算された規格化Ｉデータと前記変換された信号とを掛け算して得られる第１データを出力する第１掛算部と、
前記Ｑ信号が前記振幅成分で除算された規格化Ｑデータと前記変換された信号とを掛け算して得られる第２データを出力する第２掛算部とを有する、第２または８の本発明の送信回路である。
【００３１】
また、第１２の本発明は、
前記ベクトルデータ変換器は、Ｉ信号およびＱ信号を有する直交データが入力される直交データ入力端子と、
前記直交データ入力端子に接続された演算回路と、
前記演算回路の出力側に接続された第１ベクトル量子化器と、
前記第１ベクトル量子化器の出力側に接続された出力端子とを有し、
前記Ｉ信号および前記Ｑ信号は所定のベクトルを形成しており、
前記演算回路は、第１入力端子および第２入力端子を有する第１ベクトル引き算器と、前記第１ベクトル引き算器の出力側に接続されたベクトル積分器とを有する単位回路が、ｎ（ｎは自然数）個接続されたものであり、
前記出力端子の出力および／または前記各ベクトル積分器の出力は、前記各単位回路の第１ベクトル引き算器の前記第２入力端子に入力され、
前記直交データ入力端子は、第一番目の前記単位回路の前記第１ベクトル引き算器の前記第１入力端子に接続され、
前記単位回路どうしは、前記ベクトル積分器の出力端子と前記第１ベクトル引き算器の前記第１入力端子とにより接続されており、
前記第１ベクトル引き算器は、前記第1入力端子から入力された直交データのなすベクトルから前記第２入力端子に入力された直交データのなすベクトルを引き算した直交データを出力し、
前記ベクトル積分器は、入力された前記直交データで構成されるベクトルを積分し、
前記第１ベクトル量子化器は、入力されたベクトルの少なくとも大きさに関して量子化された所定の値を出力する、第２または８の本発明の送信回路である。
【００３２】
また、第１３の本発明は、
前記スカラーデータ変換器は、デルタシグマ変調回路である、第３、４、９、１０の本発明のいずれかの送信回路である。
【００３３】
また、第１４の本発明は、
前記電力再利用部は、ダイオードと、
前記ダイオードにバイアス電圧を供給するバイアス回路と、
前記ダイオードの出力に並列に接続され、他方が接地されたコンデンサとを有する、第８〜１０の本発明のいずれかの送信回路である。
【００３４】
また、第１５の本発明は、
前記電力再利用部は、バランと、
前記バランの２つの出力にそれぞれ接続された１対のダイオードと、
前記１対のダイオードのそれぞれにバイアス電圧を供給する１対のバイアス回路と、
前記１対のダイオードのそれぞれの出力に並列に接続され、他方が接地された１対のコンデンサとを有する、第８〜１０の本発明のいずれかの送信回路である。
【００３５】
また、第１６の本発明は、アンテナに接続されるアンテナ共用器と、
前記アンテナ共用器に送信信号を出力する送信回路と、
前記アンテナ共用器から出力される受信信号を入力する受信回路とを備え、
前記送信回路には、第１〜４、７〜１０の本発明のいずれかの送信回路が用いられている、通信機器である。
【００３６】
また、第１７の本発明は、音声信号を出力する送信回路と、
前記送信回路から出力された前記音声信号を音声として出力する音声出力部とを備え、
前記送信回路には、第４または１０の本発明の送信回路が用いられている、オーディオ機器である。
【００３７】
また、第１８の本発明は、映像信号を出力する送信回路と、
前記送信回路から出力された前記映像信号を表示する表示部とを備え、
前記送信回路には、第４または第１０の本発明の送信回路が用いられている、映像機器である。
【００３８】
また、第１９の本発明は、
信号を入力して所定の変調または所定の信号変換を行い、入力された前記信号よりも分解能を低くした信号を出力する信号変調変換ステップと、
前記信号変調変換ステップで処理された信号を増幅する増幅ステップと、
前記増幅ステップで処理された信号を通過させるアイソレーションステップと、
前記増幅ステップで処理されて前記アイソレーションステップを通過した信号のうち不要な周波数成分を減衰させるフィルタステップとを備え、
前記アイソレーションステップは、前記フィルタステップで処理された信号の中心周波数から前記信号変調変換ステップのサンプリング周波数の半分を引いた周波数から、前記フィルタステップで処理された信号の中心周波数に前記信号変調変換ステップのサンプリング周波数の半分を足した周波数までの周波数帯域において、前記フィルタステップの入力反射係数の大きさより、入力反射係数の大きさが小さい、送信方法である。
【発明の効果】
【００３９】
本発明は、十分な帯域が確保することが出来、出力信号の歪みが少ない送信回路、通信機器、オーディオ機器、映像機器、及び送信方法を提供することが出来る。
【００４０】
また、本発明は、送信回路全体の消費電力を小さくすることが出来、高効率である送信回路、通信機器、オーディオ機器、映像機器、及び送信方法を提供することが出来る。
【発明を実施するための最良の形態】
【００４１】
以下に、本発明の実施の形態を図面を参照して説明する。
【００４２】
（実施の形態１）
本発明の実施の形態１について図１を用いて説明する。
【００４３】
図１に示す送信回路は、直交データ生成器１０１、ベクトルデータ変換器１０２、変調器１０３、増幅器１０４、アイソレーション部１０５、フィルタ１０６、及び出力端子１０７を備えている。
【００４４】
直交データ生成器１０１は、直交データ（ベースバンドデータ）であるＩ信号、及びＱ信号を生成する回路である。
【００４５】
ベクトルデータ変換器１０２は、Ｉ信号、及びＱ信号をデータ変換し、そのベクトルのなす大きさに関して量子化する回路である。
【００４６】
変調器１０３は、入力される信号を変調する回路である。
【００４７】
増幅器１０４は、入力される信号を増幅する回路である。
【００４８】
アイソレーション部１０５は、増幅器１０４の出力インピーダンスがフィルタ１０６の影響を受けないようにする回路である。
【００４９】
フィルタ１０６は、ベクトルデータ変換器１０２で発生した量子化雑音を除去する回路である。
【００５０】
出力端子１０７は、出力信号を取り出す端子である。
【００５１】
なお、本実施の形態１におけるベクトルデータ変換器１０２、及び変調器１０３は、本発明の信号変調変換回路の例である。
【００５２】
次に、このような本実施の形態の動作を説明する。
【００５３】
直交データ生成器１０１で、直交データ（ベースバンドデータ）であるＩ信号、Ｑ信号が生成される。
【００５４】
直交データ生成器１０１で生成されたＩ信号及びＱ信号は、ベクトルデータ変換器１０２でデータ変換され、そのベクトルのなす大きさに関して量子化される。例えば、そのベクトルのなす大きさが０と実数の２値となるように量子化される。ベクトルデータ変換器１０２の出力は変調器１０３で変調され、増幅器１０４に入力される。
【００５５】
増幅器１０４では入力される信号の包絡線が量子化されている、すなわち一定の包絡線の信号がオン、オフされた信号となっているので、高効率の非線形増幅器を用いることができる。
【００５６】
以下に、増幅器１０４として、高効率の非線形増幅器を用いることが出来る点について以下に説明する。
【００５７】
つまり、増幅器１０４は、変調器１０３の値に応じたレベルの信号を出力するが、変調器１０３からの出力信号は、例えば包絡線の信号が、オン、オフされた信号となっているなど量子化されているので、取り得る信号レベルの数が少ない。従って、増幅器１０４は、入力信号の少ない信号レベルの数に応じた信号レベルに比例した数種類の出力レベルのみを出力すればよい。そのため、線形性の低い増幅器１０４を用いても容易に出力レベルの校正を行うことが出来る。
【００５８】
特に、ベクトルデータ変換器１０２がベクトルデータの大きさに関して出力を１ビットとする構成すなわち、取り得る信号レベルの値の数が２値である場合は、増幅器１０４は、単にスイッチとして動作すればよく、増幅器１０４を飽和に近い状態で使用することが可能となり、高効率化が可能となる。また、アナログ特性に異存する構成要素が少なく、歪みの大きな素子を用いても線形性のよい特性を得ることが可能となる。
【００５９】
一般的に入力信号の信号レベルが連続的に変化し、非常に多数の信号レベルを取り得る信号を増幅する際、増幅器１０４が非線形な入出力特性を有している場合には、その増幅器１０４の入出力特性の非線形性を補正するために、入力信号を増幅器１０４の入出力特性の非線形性を見越して予め加工しておけばよいと考えられる。しかし、入力信号を増幅器１０４の入出力特性の非線形性を補正できるように予め加工することは、入力信号が取り得る非常に多数の信号レベルの全ての部分で増幅器１０４の入出力特性を考慮しなければならない。しかしながら、入力信号が取り得る非常に多数の信号レベルの全ての部分で増幅器１０４の入出力特性の非線形性を見越して予め入力信号を加工しておくためには大きなメモリ容量が必要となり、増幅器の温度特性のばらつき等も考慮しなければならず、実現が難しい。
【００６０】
これに対して、入力信号の信号レベルがステップ的に変化するような分解能が低減された信号の場合には、増幅器１０４の入出力特性が非線形であっても、入力信号がステップ的に取りうる値のみを調整することにより、歪みのない出力信号を出力することが出来るようになる。このように、入力信号の信号レベルがステップ的な値をとる分解能が低減された信号である場合には、増幅器１０４の入出力特性が非線形であっても、その非線形性を考慮した大きさのレベルで増幅器１０４へ信号を入力させることにより、増幅器１０４から歪みのない所望の出力信号を得ることが出来る。
【００６１】
また、増幅器１０４はステップ状の各信号レベルで、正弦波である角度変調信号を増幅するだけであるので、基本的に高調波以外の歪が発生しない。このため、各ステップの信号では、角度変調信号を増幅器１０４で増幅した場合、仮に増幅器１０４が非線形な特性を持つとしても、高調波以外の歪みが発生しない。そのため、増幅器１０４を飽和に近い動作条件で用いても、送信出力の近傍に発生する歪が小さい。また、ＯＦＦ時は電流がほとんど流れない。そのため、高効率化が可能である。
【００６２】
以上、増幅器１０４として、高効率の非線形増幅器を用いることが出来る点について説明した。
【００６３】
さて、増幅器１０４からの出力信号は、アイソレーション部１０５を経由して、フィルタ１０６に入力される。フィルタ１０６では、ベクトルデータ変換器１０２で発生した量子化雑音が除去された後、低歪み、低雑音の信号が出力端子１０７から出力される。ただし、増幅器１０４として上述したように高効率の非線形増幅器を用いることが出来るけれども、ベクトルデータ変換器１０２から出力される信号が広帯域であるので、増幅器１０４で歪みが発生しないためには、増幅器１０４の利得が中心周波数±ｆｓ／２（ｆｓはデータ変換器のサンプリング周波数）の周波数範囲で大きく変化しないようにしなければならない。しかしながら、本願発明者は、本願明細書の発明が解決しようとする課題でも述べたように、増幅器１０４の出力に直接フィルタ１０６を接続すると、フィルタ１０６の帯域外インピーダンスが、増幅器１０４の特性に影響を与えることを発見した。すなわち、フィルタ１０６の帯域外インピーダンスの影響により増幅器１０４で十分な帯域が確保できなくなり増幅器１０４からの出力信号が歪んでしまうことを発見した。
【００６４】
すなわち、図２は、本実施の形態１の送信回路の隣接チャンネル漏洩電力と、本実施の形態１の送信回路において、アイソレーション部１０５を用いず、増幅器１０４に直接フィルタ１０６を接続した場合の送信回路の隣接チャンネル漏洩電力とを測定した結果である。
【００６５】
図２は、ＰＤＣ信号を入力し、５０ｋＨｚ離調、２１ｋＨｚ積分帯域幅で隣接チャンネル漏洩電力を測定した結果を示している。図２で、横軸は、入力パワー（ｄＢｍ）を表し、縦軸は、隣接チャンネル漏洩電力（ＡＣＰ；Ａｄｊａｃｅｎｔ  Ｃｈａｎｎｅｌ  Ｐｏｗｅｒ）を示している。また、白抜きの丸印が重ねて描かれている曲線が、本実施の形態１の送信回路の隣接チャンネル漏洩電力を示し、塗りつぶした丸印が重ねて描かれている曲線が、本実施の形態１の送信回路において、アイソレーション部１０５を用いず、増幅器１０４に直接フィルタ１０６を接続した場合の送信回路の隣接チャンネル漏洩電力を示している。図２から明らかなように増幅器１０４の入力信号が−５ｄＢｍ以上の信号レベルでは、明らかに本実施の形態１の送信回路の隣接チャンネル漏洩電力に比べて、本実施の形態１の送信回路において、アイソレーション部１０５を用いず、増幅器１０４に直接フィルタ１０６を接続した場合の送信回路の隣接チャンネル漏洩電力の方が大きくなっている。図２の計測結果から分かるように、本実施の形態１の送信回路において、アイソレーション部１０５を用いず、増幅器１０４に直接フィルタ１０６を接続した場合には、増幅器１０４からの出力信号が歪んでしまう。
【００６６】
つまり、フィルタ１０６は抑圧帯域での反射係数が大きく、そのまま接続すると、増幅器１０４において利得の平坦性が確保できず、増幅器１０４からの出力信号が歪んでしまうことになる。
【００６７】
そこでアイソレーション部１０５を間に接続し、増幅器１０４の出力インピーダンスがフィルタ１０６の影響を受けないようにする。アイソレーション部１０５としては、フィルタ１０６の中心周波数±ｆｓ／２（ｆｓはデータ変換器のサンプリング周波数）の周波数範囲で、フィルタ１０６の入力反射係数より入力反射係数が小さいものを用いる。その結果、低歪みの信号を出力することができる。増幅器１０４の出力スペクトラムとフィルタ１０６の通過特性の一例を図３に示す。
【００６８】
次に、ベクトルデータ変換器１０２の具体的な構成について説明する。
【００６９】
図１３に、デルタシグマ変調器６０６を用いたベクトルデータ変換器１０２の構成を示す。図１３において、ベクトルデータ変換器１０２は、入力端子６０１、６０２、座標系変換部６０５、デルタシグマ変調器６０６、掛算器６０７、６０８、及び出力端子６０３、６０４を備えている。
【００７０】
入力端子６０１、６０２は、直交データ生成器１０１から、それぞれ直交信号であるＩ信号、Ｑ信号を入力する端子である。
【００７１】
座標系変換部６０５は、入力端子６０１、６０２から入力された直交信号の振幅信号（Ｉ2＋Ｑ2）1/2  を生成し、規格化Ｉデータ（Ｉ／（Ｉ2＋Ｑ2）1/2）ならびに規格化Ｑデータ（Ｑ／（Ｉ2＋Ｑ2）1/2  ）を出力する回路である。
【００７２】
規格化Ｉ信号の出力側に掛算器６０７の入力側の一端が接続され、規格化Ｑ信号の出力側に掛算器６０８の入力側の一端が接続されている。
【００７３】
また、座標系変換器６０５の振幅信号の出力側には、デルタシグマ変調器６０６が接続されている。また、デルタシグマ変調器６０６の出力側には、掛算器６０７、６０８のそれぞれの入力側の他端が接続されている。そして、掛算器６０７、６０８の出力側には、それぞれ出力端子６０３、６０４が接続されている。
【００７４】
次に、このような構成のベクトルデータ変換器１０２の動作を説明する。
【００７５】
直交データ生成器１０１から出力された直交信号であるＩ信号及びＱ信号は、それぞれ入力端子６０１、６０２から座標変換部６０５に入力される。
【００７６】
座標変換部６０５は、入力端子６０１、６０２から入力された直交信号の振幅信号（Ｉ2＋Ｑ2）1/2  を生成し、規格化Ｉデータ（Ｉ／（Ｉ2＋Ｑ2）1/2）ならびに規格化Ｑデータ（Ｑ／（Ｉ2＋Ｑ2）1/2  ）を出力する。
【００７７】
掛算器６０７において、掛算器６０７に入力された上記規格化Ｉデータに、掛算器６０７の他方の入力側から入力されたデルタシグマ変調された信号（±ａ）が掛け算されて、第１データ（±ａＩ／（Ｉ2＋Ｑ2）1/2  ）が得られる。得られた第１データは掛算器６０７から出力端子６０３を経て出力される。
【００７８】
また、掛算器６０８において、掛算器６０８に入力された上記規格化Ｑデータに、掛算器６０８の他方の入力側から入力されたデルタシグマ変調された信号（±ａ）が掛け算されて、第２データ（±ａＱ／（Ｉ2＋Ｑ2）1/2  ）が得られる。得られた上記第２データは掛算器６０８から出力端子６０４を経て出力される。
【００７９】
上記のようにして得られた第１データおよび第２データを直交変調すると定包絡の信号が得られる。すなわち、第１データと第２データからなる直交信号の振幅成分はａとなり一定値を取る。このことは、第１データと第２データからなる直交信号の包絡線は一定値であることを意味する。
【００８０】
なお、上記のデルタシグマ変調された信号は、＋ａ、−ａの２値を取る、として説明したが、０と０以外の実数を取る２値であることも考えられる。その場合の第１データおよび第２データからなる信号は、定包絡な信号がオン、オフした信号になる。
【００８１】
上記のベクトルデータ変換器１０２を用いることで、上述したように後段の増幅器１０４には線形性が要求されないため、消費電力が少なく高効率な送信回路を実現することができる。
【００８２】
図１４に、ベクトル量子化器を用いたベクトルデータ変換器１０２の構成を示す。図１４に示すベクトルデータ変換器１０２は、入力端子７０１、引き算器７０３、ベクトル積分器７０４、ベクトル量子化器７０５、及び出力端子７０２を備えている。
【００８３】
入力端子７０１には、引き算器７０３の入力側の一端が接続されている。また、引き算器７０３の出力側にはベクトル積分器７０４が接続され、ベクトル積分器７０４の出力にはベクトル量子化器７０５が接続され、その出力が出力端子７０２に接続されている。また、ベクトル量子化器７０５の出力は、引き算器７０３の他方の入力側から入力されている。
【００８４】
次に、このような構成のベクトルデータ変換器１０２の動作を説明する。入力端子７０１には直交データＩ信号、Ｑ信号が入力される。Ｉ信号、Ｑ信号はベクトル引き算器７０３を経由して、ベクトル積分器７０４に入力される。ベクトル積分器７０４ではＩ信号、Ｑ信号のなすベクトルをベクトル演算で積分していく。この積分結果はベクトル量子化器７０５に入力される。
【００８５】
まず、ベクトル量子化器７０５がベクトルの大きさに関して量子化する場合について述べる。０＜ａ（ａは実数）としたとき、ベクトル量子化器７０５への入力ベクトルの大きさによって、０またはａの大きさを持ったベクトルを出力する。量子化の方法として例えば、入力ベクトルの大きさが閾値であるａより小さいときは、出力ベクトルの大きさを０とし、ａより小さくないときは出力ベクトルの大きさをａとする。この出力は、出力端子７０２から出力され、同時にベクトル引き算器７０３で引き算処理される。ベクトル引き算器では具体的には、入力端子７０１から入力されたベクトルから、ベクトル量子化器７０５から出力されたベクトルを、ベクトル演算で引く、という動作を行なう。
【００８６】
上記のようにしてＩ信号、Ｑ信号を変換したＩ‘信号、Ｑ’信号は、そのベクトルのなす大きさがａまたは０なので、ベクトルデータ変換器１０２からの出力は、定包絡線の信号をオン、オフと切換えたものになる。
【００８７】
したがって、上記のベクトルデータ変換器１０２を用いることで、後段の増幅器１０４には線形性が要求されないため、増幅特性の飽和点付近で動作できるので、高効率な送信回路を実現することができる。
【００８８】
なお、ベクトルデータ変換器１０２として、図１４に示すベクトル量子化器を用いたベクトルデータ変換器１０２を用いるとして説明したが、これに限らない。ベクトルデータ変換器１０２として、より高次の構成を用いることも出来る。
【００８９】
図１５に、ベクトルデータ変換器１０２として用いるｎ次（ｎは自然数）の構成を示す。
【００９０】
すなわち、Ｉ、Ｑデータが入力される入力端子２１０６と、入力端子２１０６に接続された演算回路と、上記演算回路に接続されたベクトル量子化器２１１１と、ベクトル量子化器２１１１に接続された出力端子２１１４とを備え、上記演算回路は、第１入力端子２８０１および第２入力端子２８０２を有するベクトル引き算器２１０７と、ベクトル引き算器２１０７の出力側に接続されたベクトル積分器２１０８とを有する単位回路が、ｎ個（ｎは自然数）接続されたものであり、出力端子２１１４の出力は、上記各単位回路のベクトル引き算器２１０７の全ての第２入力端子２８０２に入力され、入力端子２１０６は、第一番目の単位回路のベクトル引き算器２１０７の第１入力端子に接続され、上記単位回路どうしは、ベクトル積分器２１０８の出力端子とベクトル引き算器２１０７の第１入力端子とが接続されている構成を有していればよい。このように高次の構成を適用すれば、通常のベクトルデータ変換器と同様により所望波近傍の雑音が低減できる。
【００９１】
なお、図１５に示す構成においては、ベクトル量子化器２１１１の出力が各引き算器２１０７に入力されるとしたが、各積分器２１０８の出力が各引き算器２１０７に入力される構成であってもよい。例えば、図１６に示すようにベクトル積分器２１１０の出力が増幅器２１１５により、スカラー倍に増幅または減衰され、てベクトル引き算器２１０９に入力されてもよいし、ベクトル量子化器２１１１の出力がフィードバックとしてベクトル引き算器２１０７、２１０９のいずれかまたは両方に入力されてもよい。図１６のような高次の構成を適用すれば、通常のベクトルデータ変換器と同様により所望波近傍の雑音が低減できる。
【００９２】
なお、アイソレーション部１０５としては、図１８（ａ）に示すアイソレータや、図１８（ｂ）に示す減衰器が用いられる。すなわち、図１８（ａ）は、アイソレーション部１０５として、減衰器を用いたものである。ただし、図１８（ａ）に示す減衰器としては、フィルタ１０６の中心周波数±ｆｓ／２（ｆｓはデータ変換器のサンプリング周波数）の周波数範囲で、フィルタ１０６の入力反射係数より入力反射係数が小さいものを用いる。また、図１８（ａ）に示すアイソレータとしては、フィルタ１０６の中心周波数±ｆｓ／２（ｆｓはデータ変換器のサンプリング周波数）の周波数範囲で、フィルタ１０６の入力反射係数より入力反射係数が小さいものを用いる。
【００９３】
なお、本実施の形態１では、アイソレーション部１０５として、減衰器やアイソレータを用いるとして説明したが、これに限らない。アイソレーション部１０５としては、フィルタ１０６の中心周波数±ｆｓ／２（ｆｓはデータ変換器のサンプリング周波数）の周波数範囲で、フィルタ１０６の入力反射係数より入力反射係数が小さい回路または素子を用いさえすればよい。
【００９４】
なお、実施の形態１の送信回路として、図４のような構成であってもよい。
【００９５】
図４に示す送信回路は、直交データ生成器３０１、ベクトルデータ変換器３０２、座標変換部３０３、電源制御部３０４、角度変調器３０５、振幅変調器３０６、アイソレーション部３０７、フィルタ３０８、及び出力端子３０９を備えている。
【００９６】
直交データ生成器３０１、ベクトルデータ変換器３０２は、図１の送信回路のものと同様である。また、アイソレーション部３０７、フィルタ３０８は、図１の送信回路のアイソレーション部１０５、及びフィルタ１０６とそれぞれ同様である。
【００９７】
ベクトルデータ変換器３０２の出力には、座標変換器３０３が接続されている。座標変換器３０３の一方の出力には、電源制御部３０４の入力が接続されており、電源制御部３０４の出力は、振幅変調器３０６に接続されている。また、座標変換器３０３の他方の出力は、角度変調器３０５に接続されており、角度変調器３０５の出力は、振幅変調器３０６に接続されている。振幅変調器３０６の出力は、アイソレーション部３０７に接続され、アイソレーション部３０７の出力は、フィルタ３０８の入力に接続されている。そして、フィルタ３０８の出力は、出力端子３０９に接続されている。
【００９８】
なお、本実施の形態１におけるベクトルデータ変換器３０２、座標変換部３０３、角度変調器３０５、電源制御部３０４は本発明の信号変調変換回路の例であり、本実施の形態１における振幅変調器３０６は本発明の増幅器の例である。
【００９９】
次に、図４に示す送信回路の動作を説明する。
【０１００】
直交データ生成器３０１、及びベクトルデータ変換器３０２の動作は、図１の送信回路のものと同様である。ベクトルデータ変換器３０２でデータ変換した信号を座標系変換部３０３は、振幅データと位相データに変換する。そして、座標変換部３０３は、振幅データを電源制御部３０４に入力し、位相データを角度変調器３０５に入力する。角度変調器３０５は、入力された位相データを角度変調し、振幅変調器３０６に入力する。
【０１０１】
一方、電源制御部３０４は、座標変換部３０３から入力された振幅データに比例した電圧を振幅変調器３０６に出力する。振幅変調器３０６は入力された角度変調波を電源制御部３０４の出力で振幅変調する。振幅変調器３０６はアイソレーション部３０７によって、上述したように出力側のインピーダンスが広帯域に安定化されているので、低歪みに振幅変調を行うことが出来る。フィルタ３０８は、アイソレーション部３０７から信号を入力し、ベクトルデータ変換器３０２で発生した量子化雑音を除去し、出力端子３０９に出力する。
【０１０２】
図４の電源制御部３０４としては、シリーズレギュレータまたはスイッチングレギュレータを用いて構成することが出来る。
【０１０３】
図５に、図４の電源制御部３０４として、シリーズレギュレータを適用した電源制御部１４ａを示す。図５において、電源制御部１４ａは、入力端子１４１、比較部１４２、電源端子１４３、トランジスタ１４４、及び出力端子１４５を備える。なお、トランジスタ１４４には、電界効果トランジスタを用いるものとする。
【０１０４】
入力端子１４１には、遅延調整部１２から振幅信号が入力される。振幅信号は、比較部１４２を介してトランジスタ１４４のゲートに入力される。トランジスタ１４４のドレインには、電源端子１４３から直流電圧が供給されているものとする。トランジスタ１４４は、入力された振幅信号に比例した電圧をソースから出力する。トランジスタ１４４のソースから出力された電圧は、比較部１４２にフィードバックされる。比較部１４２は、フィードバックされた電圧に基づいて、トランジスタ１４４のゲートに入力する振幅信号の大きさを調整する。このようにして、シリーズレギュレータが適用された電源制御部１４ａは、振幅信号に比例した電圧を出力端子１４５から安定して供給することができる。
【０１０５】
図６に、図４の電源制御部３０４として、スィッチングレギュレータを提供した電源制御部１４ｂを示す。図６において、電源制御部１４ｂは、入力端子１４１、電源端子１４３、信号変換部１４６、増幅部１４７、ローパスフィルタ１４８及び出力端子１４５を備える。
【０１０６】
入力端子１４１には、遅延調整部１２から振幅信号が入力される。振幅信号は、信号変換部１４６に入力される。信号変換部１４６は、入力された振幅信号をＰＷＭやデルタシグマ変調された信号に変換する。信号変換部１４６で変換された信号は、増幅部１４７に入力される。増幅部１４７は、入力された信号を増幅して出力する。なお、増幅部１４７には、電源端子１４３から直流電圧が供給されているものとする。また、増幅器１４７としては、Ｄ級アンプなどの高効率スイッチングアンプが用いられる。このようにして、スイッチレギュレータが適用された電源制御部１４ｂは、振幅信号に比例した電圧を出力端子１４５から安定して供給することが出来る。
【０１０７】
なお、本実施の形態の角度変調器３０５は、入力された位相データを角度変調するとして説明したが、この角度変調は、周波数変調や位相変調なども含むものである。
【０１０８】
（実施の形態２）
本発明の実施の形態２について図７を用いて説明する。
【０１０９】
図７の送信回路装置は、極データ生成器４０１、スカラーデータ変換器４０２、電源制御部４０３、角度変調器４０４、振幅変調器４０５、アイソレーション部４０６、フィルタ４０７、及び出力端子４０８を備えている。
【０１１０】
極データ生成器４０１の一方の出力には、スカラーデータ変換器４０２の入力が接続されており、スカラーデータ変換器４０２の出力には、電源制御部４０３の入力が接続されており、電源制御部４０３の出力は、振幅変調器４０５に接続されている。一方、極データ生成器４０１の他方の出力は、角度変調器４０４の入力に接続されており、角度変調器４０４の出力は、振幅変調器４０５に接続されている。そして、振幅変調器４０５の出力は、アイソレーション部４０６の入力に接続されており、アイソレーション部４０６の出力は、フィルタ４０７の入力に接続されている。フィルタ４０７の出力は、出力端子４０８に接続されている。
【０１１１】
なお、本実施の形態２におけるスカラーデータ変換器４０２、角度変調器４０４、及び電源制御部４０３は本発明の信号変調変換回路の例であり、本実施の形態２における振幅変調器４０５は本発明の振幅変調器の例である。
【０１１２】
次に、このような本実施の形態の動作を説明する。
【０１１３】
極データ生成器４０１から振幅データ、及び位相データが出力される。振幅データはスカラーデータ変換器４０２に入力され、データ変換される。スカラーデータ変換器４０２では入力された信号より分解能の小さい信号、つまり入力された信号より取り得る電圧値の数が少ない信号を出力する。スカラーデータ変換器４０２としては、図１４に示すようなデルタシグマ変調器などが用いられる。スカラーデータ変換器４０２からの出力は電源制御部４０３に入力され、電源制御部４０３は入力信号に比例した信号を振幅変調器４０５に出力する。
【０１１４】
なお、電源制御部４０３としては、実施の形態１で説明したのと同様に図５に示した電源制御部１４ａや、図６に示した電源制御部１４ｂ等を用いることが出来る。一方、位相データは角度変調器４０４に入力され角度変調される。角度変調器４０４の出力は振幅変調器４０５に入力され、電源制御部４０３からの出力信号で振幅変調される。アイソレーション部４０６の働きについては実施の形態１で説明したので省略する。また、フィルタ４０７の働きについても実施の形態１で説明したので省略する。
【０１１５】
アイソレーション部４０６としては、実施の形態１で述べたのと同様、図１８（ａ）、図１８（ｂ）に示すようにアイソレータや減衰器が用いられる。
【０１１６】
なお、スカラーデータ変換器４０２として、図１７に示すようなデルタシグマ変調器を用いることが出来る。
【０１１７】
図１７に示すデルタシグマ変調器は、入力端子８０１、引き算器８０３、積分器８０４、量子化器８０５、及び出力端子８０２を備えている。
【０１１８】
入力端子８０１には、引き算器８０３の入力側の一端が接続されている。また、引き算器８０３の出力側には積分器８０４が接続され、積分器８０４の出力には量子化器８０５が接続され、その出力が出力端子８０２に接続されている。また、量子化器８０５の出力は、引き算器８０３の他方の入力側から入力されている。
【０１１９】
次に、このような構成のデルタシグマ変調器の動作を説明する。入力端子８０１には信号が入力される。入力された信号は引き算器８０３を経由して、積分器８０４に入力される。積分器８０４では信号を積分していく。この積分結果は量子化器８０５に入力される。
【０１２０】
まず、量子化器８０５が信号の大きさに関して量子化する場合について述べる。０＜ａ（ａは実数）としたとき、量子化器８０５への入力信号の大きさによって、０またはａの大きさを持った信号を出力する。量子化の方法として例えば、入力信号の大きさが閾値であるａより小さいときは、出力信号の大きさを０とし、ａより小さくないときは出力信号の大きさをａとする。この出力信号の位相については特に制限はないが、量子化器８０５への入力信号の位相と同じ位相とするのが、典型的な例として考えられる。この出力は、出力端子８０２から出力され、同時に引き算器８０３で引き算処理される。引き算器８０３では具体的には、入力端子８０１から入力された信号から、量子化器８０５から出力された信号を、引くという動作を行なう。
【０１２１】
（実施の形態３）
本発明の実施の形態３について図８を用いて説明する。
【０１２２】
図８に示す本実施の形態３の送信回路は、信号生成器５０１、スカラーデータ変換器５０２、増幅器５０３、アイソレーション部５０４、フィルタ５０５、及び出力端子５０６を備えている。
【０１２３】
信号生成器５０１の出力は、スカラーデータ変換器５０２の入力に接続されており、スカラーデータ変換器５０２の出力は、増幅器５０３の入力に接続されている。そして、増幅器５０３の出力は、アイソレーション部５０４に接続されており、アイソレーション部５０４の出力は、フィルタ５０５の入力に接続されている。そして、フィルタ５０５の出力は、出力端子５０６に接続されている。
【０１２４】
なお、本実施の形態３におけるスカラーデータ変換器５０２は本発明の信号変調変換回路の例である。
【０１２５】
次に、このような本実施の形態の動作を説明する。
【０１２６】
信号発生器５０１は、変調された信号を出力する。信号発生器５０１から出力された信号は、スカラーデータ変換器５０２に入力され、分解能の低い信号に変換される。つまり入力された信号より取り得る電圧値の数が少ない信号に変換される。典型的には０と実数からなる数値列に変換される。スカラーデータ変換器５０２としては、例えば、バンドパス型のデルタシグマ変調器が用いられる。スカラーデータ変換器５０２の出力は増幅器５０３に入力され、増幅される。増幅器５０３への入力信号は例えば２値に離散化されているので、Ｄ級、Ｅ級といった高効率のスイッチングアンプを用いることができる。増幅器５０３の出力にはアイソレーション部５０４が接続され、さらに後に接続されるフィルタ５０５の帯域外インピーダンスの影響を受けないようにする。これによって増幅器５０３で低歪みの増幅を実現することができる。フィルタ５０５において、スカラーデータ変換器５０２で発生した量子化雑音を除去し、出力端子５０６から出力する。
【０１２７】
ここで、上記では、スカラーデータ変換器５０２として、例えば、バンドパス型のデルタシグマ変調器を用いるとして説明したが、この点について、図９、図１０、図１１、及び図１２を用いて説明する。
【０１２８】
図９は、零点が１である雑音伝達関数における零点の位置を示す図である。図１０は、雑音伝達関数の零点が１であるスカラーデータ変換器５０２から出力される信号のスペクトラムの一例を示す図である。図１０のように、雑音伝達関数の零点が１であるスカラーデータ変換器５０２から出力される信号は、量子化雑音信号が最小となる周波数が直流（０Ｈｚ）となる。
【０１２９】
すなわち、図９において、雑音伝達関数の零点が１であるスカラーデータ変換器５０２が用いられる場合、フィルタ５０５は、ローパスフィルタを用いて、帯域外の量子化雑音を除去する。
【０１３０】
なお、このようなスカラーデータ変換器５０２をデルタシグマ変調器を用いて構成する場合、ローパス型のデルタシグマ変調器を用いて構成することが出来る。
【０１３１】
図１１は、零点が大きさ１の複素数である雑音伝達関数の零点の位置を示す図である。なお、図１１において、雑音伝達関数の零点の位置は、大きさが１で偏角が±π／４である場合を示している。図１２は、雑音伝達関数の零点が大きさ１の複素数であるスカラーデータ変換器５０２から出力される信号のスペクトラムの一例を示す図である。図１２のように、雑音伝達関数の零点が大きさ１の複素数であるスカラーデータ変換器５０２から出力される信号は、量子化雑音が最小となる周波数が、零点の偏角を２πで割った規格化周波数となる。スカラーデータ変換器５０２は、所望波の周波数と、量子化雑音が最小となる周波数が近くなるように設計される。
【０１３２】
すなわち、図１１において、雑音伝達関数の零点が大きさ１の複素数であるスカラーデータ変換器５０２が用いられる場合、フィルタ５０５は、バンドパスフィルタを用いて、帯域外の量子化雑音を除去する。
【０１３３】
なお、このようなスカラーデータ変換器５０２を、デルタシグマ変調器を用いて構成する場合、バンドパス型のデルタシグマ変調器を用いて構成することが出来る。
【０１３４】
以上、スカラーデータ変換器５０２として、バンドパス型のデルタシグマ変調器を用いる点について説明した。
【０１３５】
アイソレーション部５０４としては、実施の形態１で述べたのと同様、図１８に示すようにアイソレータや減衰器が用いられる。なお、アイソレーション部５０４は、実施の形態１で説明したアイソレーション部１０５と同様であるので、詳細な説明を省略する。
【０１３６】
また、フィルタ５０５の動作も、実施の形態１で説明したフィルタ１０６の動作と同様であるので、説明を省略する。
【０１３７】
（実施の形態４）
本発明の実施の形態４について図１９を用いて説明する。
【０１３８】
図１９に示す本実施の形態４の送信回路は、直交データ生成器１００１、ベクトルデータ変換器１００２、変調器１００３、増幅器１００４、サーキュレータ１００５、電力再利用部１００６、電力供給部１００７、フィルタ１００８、及び出力端子１００９を備えている。
【０１３９】
直交データ生成器１００１の出力は、ベクトルデータ変換器１００２に接続されており、ベクトルデータ変換器１００２の出力は、変調器１００３の入力に接続されている。そして、変調器１００３の出力は、増幅器１００４に接続されている。増幅器１００４には、電力供給部１００７及び電力再利用部１００６から電力が供給され、増幅器１００４の出力は、サーキュレータ１００５の端子ａに接続されている。また、サーキュレータ１００５の端子ｂはフィルタ１００８の入力に接続されており、フィルタ１００８の出力は、出力端子１００９に接続されている。また、サーキュレータ１００５の端子ｃは電力再利用部１００６に接続されている。
【０１４０】
なお、本実施の形態４におけるベクトルデータ変換器１００２、及び変調器１００３は本発明の信号変調変換回路の例である。
【０１４１】
次に、このような本実施の形態の動作を説明する。
【０１４２】
直交データ生成器１００１は、ベースバンドデータを出力する。
【０１４３】
ベクトルデータ変換器１００２は、直交データ生成器１００１から出力されたベースバンドデータを、そのベクトルのなす大きさに関して量子化する。例えば、ベクトルデータ変換器１００２は、入力されたベースバンドデータを、大きさが０と実数の２値のデータとなるよう量子化する。ベクトルデータ変換器１００２の出力は変調器１００３に入力され、変調される。変調器１００３として、典型的には直交変調器が用いられる。変調器１００３の出力は増幅器１００４で増幅される。増幅器１００４の電力は電力供給部１００７から供給される。変調器１００３の出力は包絡線の大きさが量子化され、一定の包絡線の信号がオン、オフされた信号が出力される。このため、増幅器１００４としては、高効率のＤ級、Ｅ級といった動作のものを用いることができる。増幅器１００４の出力はサーキュレータ１００５を経て、フィルタ１００８に入力される。フィルタ１００８において、ベクトルデータ変換器１００２で発生した不要な量子化雑音を除去し、不要な量子化雑音を除去した信号は、出力端子１００９から出力される。ただし、増幅器１００４の利得が中心周波数±ｆｓ／２（ｆｓはデータ変換器のサンプリング周波数）の周波数範囲でほぼ一定でなければならない。そこで、フィルタ１００８の帯域外インピーダンスの影響を緩和するためにアイソレーション部としてサーキュレータ１００５を挿入する。サーキュレータ１００５は、端子ａから入力した信号のほとんどが端子ｂへ、端子ｂから入力した信号のほとんどが端子ｃへ、端子ｃから入力した信号のほとんどが端子ａへ伝送される。すなわち、端子ａから端子ｂ、端子ｂから端子ｃ、端子ｃから端子ａへは信号が通過するが、端子ｂから端子ａ、端子ｃから端子ｂ、端子ａから端子ｃへは信号は通過しない。
【０１４４】
したがって、所望の信号と不要な量子化雑音の両方を含んだ信号が増幅器１００４から出力され、サーキュレータ１００５を介して、フィルタ１００８へ入力されるが、フィルタ１００８は所望の信号のある周波数は通過するが、量子化雑音が多い周波数の信号は反射する。そこで、フィルタ１００８の入力で反射された信号はサーキュレータ１００５の端子ｂから入力されることとなる。
【０１４５】
端子ｂから入力された量子化雑音信号は、端子ｃから出力され、電力再利用部１００６に入力される。電力再利用部１００６では入力された高周波信号を、電力供給部１００７の出力と同じ電圧の直流信号に変換する。電力再利用部１００６の出力は増幅器１００４の供給電力として再利用される。このため、送信回路トータルの消費電力を低減することができる。
【０１４６】
図２０、図２１についても同様で、フィルタ１１０９、１２０７で反射された量子化雑音のエネルギーを電力再利用部１１０７、１２０５で直流信号に変換し、振幅変調器１１０３、増幅器１２０３の供給電力として再利用し、送信回路の消費電力を低減する。
【０１４７】
図２０に示す送信回路は、極データ生成器１１０１、角度変調器１１０２、振幅変調器１１０３、データ変換器１１０４、電源制御部１１０５、サーキュレータ１１０６、電力再利用部１１０７、電力供給部１１０８、フィルタ１１０９、及び出力端子１１１０を備えている。
【０１４８】
極データ生成器１１０１の一方の出力は、角度変調器１１０２に接続されており、角度変調器１１０２の出力は、振幅変調器１１０３に接続されている。一方、極データ生成器１１０１の他方の出力は、スカラーデータ変換器１１０４に接続されており、スカラーデータ変換器１１０４の出力は、電源制御部１１０５に接続されている。電源制御部１１０５は、電力供給部１１０８及び電力再利用部１１０７から直流電圧の供給を受け、データ変換器１１０４の出力に比例した安定した信号を振幅変調器１１０３に供給する。また、振幅変調器１１０３の出力は、サーキュレータ１１０６の端子ａに接続されている。そして、サーキュレータ１１０６の端子ｂは、フィルタ１１０９の入力に接続されており、フィルタ１１０９の出力は、出力端子１１１０に接続されている。また、サーキュレータ１１０６の端子ｃは電力再利用部１１０７に接続されている。
【０１４９】
なお、本実施の形態４におけるスカラーデータ変換器１１０４、及び角度変調器１１０２は本発明の信号変調変換回路の例であり、本実施の形態４における振幅変調器１１０３は本発明の増幅器の例である。
【０１５０】
次に、図２０に示す送信回路の動作を説明する。
【０１５１】
極データ生成器１１０１から振幅データ、及び位相データが出力される。振幅データはスカラーデータ変換器１１０４に入力され、データ変換される。スカラーデータ変換器１１０４では入力された信号より分解能の小さい信号、つまり入力された信号より取り得る電圧値の数が少ない信号を出力する。スカラーデータ変換器１１０４としては、図１４に示すようなデルタシグマ変調器などが用いられる。スカラーデータ変換器１１０４からの出力は電源制御部１１０５に入力され、電源制御部１１０５は入力信号に比例した信号を振幅変調器１１０３に出力する。
【０１５２】
なお、電源制御部４０３としては、実施の形態１で説明したのと同様に図５に示した電源制御部１４ａや、図６に示した電源制御部１４ｂ等を用いることが出来る。一方、位相データは角度変調器１１０２に入力され角度変調される。角度変調器１１０２の出力は振幅変調器１１０３に入力され、電源制御部１１０５からの出力信号で振幅変調される。
【０１５３】
なお、サーキュレータ１１０６、フィルタ１１０９、及び電力再利用部１１０７の動作は、図１９の送信回路と同様であるので、説明を省略する。
【０１５４】
以上、図２０に示す送信回路について説明した。
【０１５５】
次に、図２１に示す送信回路について説明する。
【０１５６】
図２１に示す送信回路は、信号生成器１２０１、スカラーデータ変換器１２０２、増幅器１２０３、サーキュレータ１２０４、電力再利用部１２０５、電力供給部１２０６、フィルタ１２０７、及び出力端子１２０８を備えている。
【０１５７】
信号生成器１２０１の出力は、スカラーデータ変換器１２０２の入力に接続されており、スカラーデータ変換器１２０２の出力は、増幅器１２０３の入力に接続されている。そして、増幅器１２０３の出力は、サーキュレータ１２０４の端子ａに接続されている。また、増幅器１２０３には電力供給部１２０６と電力再利用部１２０５から直流電源が供給される。また、サーキュレータ１２０４の端子ｂは、フィルタ１２０７の入力に接続されており、フィルタ１２０７の出力は、出力端子１２０８に接続されている。そして、サーキュレータ１２０４の端子ｃは電力再利用部１２０５に接続されている。
【０１５８】
なお、本実施の形態４におけるスカラーデータ変換器１２０２は本発明の信号変調変換回路の例である。
【０１５９】
次に、図２１に示す送信回路の動作を説明する。
【０１６０】
信号発生器１２０１は、変調された信号を出力する。信号発生器１２０１から出力された信号は、スカラーデータ変換器１２０２に入力され、分解能の低い信号に変換される。つまり入力された信号より取り得る電圧値の数が少ない信号に変換される。典型的には０と実数からなる数値列に変換される。スカラーデータ変換器１２０２としては、例えば、バンドパス型のデルタシグマ変調器が用いられる。スカラーデータ変換器１２０２の出力は増幅器１２０３に入力され、増幅される。増幅器１２０３への入力信号は例えば２値に離散化されているので、Ｄ級、Ｅ級といった高効率のスイッチングアンプを用いることができる。増幅器１２０３の出力は、サーキュレータの端子ａに入力される。
【０１６１】
なお、サーキュレータ１２０４、フィルタ１２０７、及び電力再利用部１２０５の動作は、図１９の送信回路と同様であるので説明を省略する。
【０１６２】
以上、図２１に示す送信回路について説明した。
【０１６３】
さて、電力再利用部の一例として、図２２のような回路が考えられる。
【０１６４】
図２２の電力再利用部は、入力端子１３０１、出力端子１３０２、バイアス回路１３０３、ダイオード１３０４、及びコンデンサ１３０５を備えている。
【０１６５】
バイアス回路１３０３には直流電源（図示せず）が接続され、バイアス回路１３０３は、ダイオード１３０４にバイアス電圧を供給する。入力端子１３０１から高周波信号が入力される。入力端子１３０１から入力された高周波信号は、ダイオード１３０４で低周波信号に変換され、コンデンサ１３０５で整流され、出力端子１３０２に出力される。ダイオード１３０４には、上述したようにバイアス回路１３０３からバイアス電圧が供給される。例えば０Ｖの電圧を供給するためのバイアス回路１３０３としては、他方が接地された、入力信号に対してインピーダンスが大きいチョークのインダクタが用いられる。ダイオード１３０４の出力には他方が接地されたコンデンサ１３０５が並列に接続されており、上述したように出力端子１３０２から直流信号が供給される。出力端子１３０２は電力供給部１００７、１１０８、１２０６の出力と接続し同電位となるようにする。
【０１６６】
また図２２の構成をバランス回路で実現する図２３の構成も考えられ、図２３の基本的な動作は、図２２と同じである。
【０１６７】
すなわち、図２３の電力再利用部１４は、非平衡型端子である入力端子１４０１、平衡型端子である一対の出力端子１４０２、１４０３、非平衡型の信号を平衡型の信号に変換するバラン１４１０、一対のバイアス回路１４０４、１４０５、一対のダイオード１４０６、１４０７、及び一対のコンデンサ１４０８、１４０９を備えている。
【０１６８】
バイアス回路１４０４、１４０５には直流電源（図示せず）が接続され、バイアス回路１４０４、１４０５は、それぞれダイオード１４０６、１４０７にバイアス電圧を供給する。入力端子１４０１から高周波信号が入力され、入力された高周波信号は、バラン１４１０において、平衡型の信号に変換される。バラン１４１０で平衡型の信号に変換された高周波信号は、それぞれダイオード１４０６、１４０７で低周波信号に変換され、コンデンサ１４０８、１４０９でそれぞれ整流され、出力端子１４０２、１４０３から出力される。
【０１６９】
このように電力再利用部として、図２２に示すような非平衡型の回路を用いることも出来るし、図２３に示すような平衡型の回路を用いることも出来る。
【０１７０】
（実施の形態５）
次に、実施の形態５を説明する。
【０１７１】
実施の形態５では、実施の形態１から実施の形態４までで説明した送信回路を用いた機器について説明する。
【０１７２】
図２４に、実施の形態５の通信機器の構成を示す。
【０１７３】
図２４の通信機器５は、送信回路２９０１、受信回路２９０２、アンテナ共用器２９０３、及びアンテナ２９０４を備えている。
【０１７４】
アンテナ共用器２９０３には、送信回路２９０１、受信回路２９０２、及びアンテナ２９０４が接続されている。
【０１７５】
送信回路２９０１は、図示していないベースバンド部からのベースバンド信号を入力して送信信号を出力する回路である。送信回路２９０１には、上記各実施の形態で説明した送信回路が用いられている。
【０１７６】
受信回路２９０２は、アンテナ共用器２９０３から出力された受信信号を入力して、ベースバンド信号をベースバンド部に出力する回路である。アンテナ共用器２９０３としては、誘電体、ＳＡＷ、ＦＢＡＲを用いた共用器や半導体スイッチが用いられる。
【０１７７】
アンテナ共用器２９０３は、送信回路２９０１から出力された送信信号をアンテナに導くとともに、アンテナ２９０４で受信された受信信号を受信回路２９０２に導く手段である。
【０１７８】
次に、このような本実施の形態の動作を説明する。
【０１７９】
図示していないベースバンド部からのベースバンド信号は、送信回路２９０１に入力される。送信回路２９０１では、上記各実施の形態で説明したのと同様の動作が行われ、送信回路２９０１は、送信信号をアンテナ共用器２９０３に出力する。
【０１８０】
アンテナ共用器２９０３は、送信回路２９０１から出力された信号をアンテナ２９０４に導く。
【０１８１】
アンテナ２９０４は、アンテナ共用器２９０３から出力されてきた送信信号を電波として空中に伝搬させる。
【０１８２】
一方、空中から伝搬してきた受信波は、アンテナ２９０４において電気信号に変換される。アンテナ２９０４は、この信号を受信信号としてアンテナ共用器２９０３に出力する。
【０１８３】
アンテナ共用器２９０３は、アンテナ２９０４からの受信信号を受信回路２９０２に導く。
【０１８４】
受信回路２９０２は、アンテナ共用器２９０３から導かれてきた受信信号を検波するなどしてベースバンド信号にし、そして、図示していないベースバンド部に出力する。
【０１８５】
このように、上記各実施の形態で説明した送信回路を実施の形態５の通信機器に送信回路２９０１として用いることにより、振幅変調器で十分な帯域が確保することが出来、出力信号の歪みが少ない通信機器を提供することが出来る。
【０１８６】
また、上記各実施の形態で説明した送信回路を実施の形態５の通信機器に送信回路２９０１として用いることにより、消費電力を小さくすることが出来、高効率である通信機器を提供することが出来る。
【０１８７】
なお、上記各実施の形態で説明した送信回路は、通信機器のみならずオーディオ機器や映像機器にも用いることが出来る。
【０１８８】
図２５に、オーディオ機器を示す。
【０１８９】
図２５のオーディオ機器は、送信回路２９１１、及びスピーカ２９１２を備えている。
【０１９０】
スピーカ２９１２は、音声信号を音声に変換する装置である。
【０１９１】
送信回路２９１１は、音声信号を入力して増幅して出力する回路である。送信回路２９１１としては、図８の送信回路、または図２１の送信回路が用いられている。
【０１９２】
次に、このような図２５のオーディオ機器の動作を説明する。
【０１９３】
ＣＤなどに記録された音楽等の音声信号は図示していない再生装置で再生される。図示していない再生装置で再生された音声信号は、送信回路２９１１に入力される。
【０１９４】
送信回路２９１１は、入力された音声信号を増幅して、スピーカ２９１２に出力する。
【０１９５】
スピーカ２９１２は、送信回路２９１１から出力された音声信号を音声に変換して出力する。
【０１９６】
図２６に、映像機器を示す。
【０１９７】
図２６の映像機器は、送信回路２９２１、及びディスプレイを備えている。
【０１９８】
ディスプレイは、映像信号を表示する装置である。
【０１９９】
送信回路２９２１は、映像信号を入力して増幅して出力する回路である。送信回路２９２１としては、図８の送信回路、または図２１の送信回路が用いられている。
【０２００】
次に、このような図２６のオーディオ機器の動作を説明する。
【０２０１】
図示していないテレビ受像器などから出力されてくる映像信号は、送信回路２９２１に入力される。
【０２０２】
送信回路２９２１は、入力された映像信号を増幅して、ディスプレイ２９２２に出力する。
【０２０３】
ディスプレイ２９２２は、送信回路２９２１から出力された映像信号を表示する。
【０２０４】
このように、図８や図２１の送信回路を用いることにより、消費電力を小さくすることが出来、高効率であるオーディオ機器、及び映像機器を提供することが出来る。
【０２０５】
なお、本発明の増幅回器は、例えば図１に示す増幅回路１０４のように、入力されてくる信号を増幅する機能のみを有する回路に限らず、本発明の増幅回路は、例えば図４に示す振幅変調器３０６のように、入力されてくる信号を増幅するとともに、入力されてくる信号を変調する機能を有する回路であっても構わない。要するに本発明の増幅回路は、入力されてくる信号を変調する機能を兼ねている回路であっても構わない。
【０２０６】
さらに、本発明の信号変調変換回路は、実施の形態１から実施の形態４までで説明した構成に限らない。要するに本発明の信号変調変換回路は、信号を入力して予め決められた方式の変調または予め決められた方式の信号変換を行い、入力された信号よりも分解能を低くした信号を出力する回路でありさえすればよい。
【産業上の利用可能性】
【０２０７】
本発明にかかる送信回路、通信機器、オーディオ機器、及び映像機器は、十分な帯域が確保することが出来、出力信号の歪みが少ないという効果を有し、携帯電話、無線ＬＡＮなどの無線機器に用いられる送信回路、通信機器、オーディオ機器、映像機器、及び送信方法などに有用である。
【０２０８】
また、本発明にかかる送信回路、通信機器、オーディオ機器、及び映像機器は、送信回路全体の消費電力を小さくすることが出来、高効率であるという効果を有し、携帯電話、無線ＬＡＮなどの無線機器に用いられる送信回路、通信機器、オーディオ機器、映像機器、及び送信方法などに有用である。
【図面の簡単な説明】
【０２０９】
【図１】本発明の実施形態１に係る送信回路の構成例を示すブロック図
【図２】本発明の実施の形態１に係る送信回路の隣接チャンネル漏洩電力と増幅器に直接フィルタを接続した構成の送信回路の隣接チャンネル漏洩電力との測定結果を示す図
【図３】本発明の実施形態１に係る送信回路の構成例を示すブロック図
【図４】本発明の実施形態１に係る送信回路の構成例を示すブロック図
【図５】本発明の実施の形態１に係るシリーズレギュレータを適用した電源制御部の構成例を示すブロック図
【図６】本発明の実施の形態１に係るスィッチングレギュレータを提供した電源制御部の構成例を示すブロック図
【図７】本発明の実施形態２に係る送信回路の構成例を示すブロック図
【図８】本発明の実施形態３に係る送信回路の構成例を示すブロック図
【図９】本発明の実施の形態３に係る零点が１である雑音伝達関数における零点の位置を示す図
【図１０】本発明の実施の形態３に係る雑音伝達関数の零点が１であるスカラーデータ変換器から出力される信号のスペクトラムの一例を示す図
【図１１】本発明の実施の形態３に係る零点が大きさ１の複素数である雑音伝達関数の零点の位置を示す図
【図１２】本発明の実施の形態３に係る雑音伝達関数の零点が大きさ１の複素数であるスカラーデータ変換器から出力される信号のスペクトラムの一例を示す図
【図１３】デルタシグマ変調器を用いたベクトルデータ変換器の構成例を示すブロック図
【図１４】ベクトル量子化器を用いたベクトルデータ変換器の構成例を示すブロック図
【図１５】ベクトルデータ変換器の高次の構成例を示すブロック図
【図１６】ベクトルデータ変換器の高次の構成例を示すブロック図
【図１７】デルタシグマ変調器の構成例を示すブロック図
【図１８】（ａ）アイソレータを用いたアイソレーション部の構成例を示すブロック図  （ｂ）減衰器を用いたアイソレーション部の構成例を示すブロック図
【図１９】本発明の実施形態４に係る送信回路の構成例を示すブロック図
【図２０】本発明の実施形態４に係る送信回路の構成例を示すブロック図
【図２１】本発明の実施形態４に係る送信回路の構成例を示すブロック図
【図２２】電力再利用部の構成例を示すブロック図
【図２３】電力再利用部の構成例を示すブロック図
【図２４】本発明の実施の形態５に係る通信機器の構成を示すブロック図
【図２５】本発明の実施の形態５に係るオーディオ機器の構成を示すブロック図
【図２６】本発明の実施の形態５に係る映像機器の構成を示すブロック図
【図２７】従来の送信回路の構成例を示すブロック図
【符号の説明】
【０２１０】
１０１  直交データ生成器
１０２  ベクトルデータ変換器
１０３  変調器
１０４  増幅器
１０５  アイソレーション部
１０６  フィルタ
１０７  出力端子
３０１  直交データ生成器
３０２  ベクトルデータ変換器
３０３  座標系変換部
３０４  電源制御部
３０５  角度変調器
３０６  振幅変調器
３０７  アイソレーション部
３０８  フィルタ
３０９  出力端子
４０１  極データ生成器
４０２  スカラーデータ変換器
４０３  電源制御部
４０４  角度変調器
４０５  振幅変調器
４０６  アイソレーション部
４０７  フィルタ
４０８  出力端子
５０１  信号生成器
５０２  スカラーデータ変換器
５０３  増幅器
５０４  アイソレーション部
５０５  フィルタ
５０６  出力端子
６０１、６０２  入力端子
６０３、６０４  出力端子
６０５  座標系変換部
６０６  デルタシグマ変調器
６０７、６０８  掛算器
７０１  入力端子
７０２  出力端子
７０３  引き算器
７０４  ベクトル積分器
７０５  ベクトル量子化器
８０１  入力端子
８０２  出力端子
８０３  引き算器
８０４  積分器
８０５  量子化器
１００１  直交データ生成器
１００２  ベクトルデータ変換器
１００３  変調器
１００４  増幅器
１００５  サーキュレータ
１００６  電力再利用部
１００７  電力供給部
１００８  フィルタ
１００９  出力端子
１１０１  極データ生成器
１１０２  角度変調器
１１０３  振幅変調器
１１０４  スカラーデータ変換器
１１０５  電源制御部
１１０６  サーキュレータ
１１０７  電力再利用部
１１０８  電力供給部
１１０９  フィルタ
１１１０  出力端子
１２０１  信号生成器
１２０２  スカラーデータ変換器
１２０３  振幅変調器
１２０４  サーキュレータ
１２０５  電力再利用部
１２０６  電力供給部
１２０７  フィルタ
１２０８  出力端子
１３０１  入力端子
１３０２  出力端子
１３０３  バイアス回路
１３０４  ダイオード
１３０５  コンデンサ
１４０１  入力端子
１４０２、１４０３  出力端子
１４０４、１４０５  バイアス回路
１４０６、１４０７  ダイオード
１４０８、１４０９  コンデンサ
１５０１  データ生成器
１５０２  デルタシグマ変調器
１５０３  電源制御部
１５０４  角度変調器
１５０５  振幅変調器
１５０６  フィルタ
１５０７  出力端子
【図１】
2005287017.tif 000003
【図２】
2005287017.tif 000004
【図３】
2005287017.tif 000005
【図４】
2005287017.tif 000006
【図５】
2005287017.tif 000007
【図６】
2005287017.tif 000008
【図７】
2005287017.tif 000009
【図８】
2005287017.tif 000010
【図９】
2005287017.tif 000011
【図１０】
2005287017.tif 000012
【図１１】
2005287017.tif 000013
【図１２】
2005287017.tif 000014
【図１３】
2005287017.tif 000015
【図１４】
2005287017.tif 000016
【図１５】
2005287017.tif 000017
【図１６】
2005287017.tif 000018
【図１７】
2005287017.tif 000019
【図１８】
2005287017.tif 000020
【図１９】
2005287017.tif 000021
【図２０】
2005287017.tif 000022
【図２１】
2005287017.tif 000023
【図２２】
2005287017.tif 000024
【図２３】
2005287017.tif 000025
【図２４】
2005287017.tif 000026
【図２５】
2005287017.tif 000027
【図２６】
2005287017.tif 000028
【図２７】
2005287017.tif 000029